(57)【要約】      （修正有）【課題】眼鏡不使用時にはテンプルを縮めて折り畳むことで、寸法が短くでき、後部テンプル部の突出長さを段階的に調整することで、眼鏡装着者の顔の大きさに対応できる老眼鏡兼用拡大鏡を提供する。【解決手段】左右一対のレンズ１０，１１はブリッジを介して離間位置に配置すると共に、ブリッジの後部側には鼻当てを設け、これらの一対のレンズ１０，１１とブリッジと鼻当てとは一体に成形してある。左右一対のテンプル２０，２１は、前部テンプル部と後部テンプル部とからなり、後部テンプル部２０ｂ，２１ｂの前部に形成した軸部２５，２６が、前部テンプル部の長手方向に形成した中空部２７、２８内へ伸縮自在に嵌挿されると共に、後部テンプル部の軸部の内側面に突設したピン２９、３０が、前部テンプル部の内側面に上記中空部と連通すべく形成された波形状の溝３２と係合し、後部テンプル部が段階的にその突出長さを調整できるように構成されている。【選択図】図１０
0003167304.tif 000002
【実用新案登録請求の範囲】
【請求項１】
左右一対のレンズと、該一対のレンズの外周縁部に回動かつ折り畳み自在に設けた左右一対のテンプルと、両レンズの内側同士間に設けた鼻当てとを備えた老眼鏡兼用拡大鏡であって、
前記左右一対のレンズはブリッジを介して離間位置に配置すると共に、前記ブリッジの後部側には鼻当てを設け、これらの一対のレンズとブリッジと鼻当てとは一体に成形してあり、
前記左右一対のテンプルは、前部テンプル部と後部テンプル部とからなり、後部テンプル部の前部に形成した軸部が、前部テンプル部の長手方向に形成した中空部内へ伸縮自在に嵌挿されるようにしてあると共に、前記後部テンプル部の軸部の内側面に突設したピンが、前記前部テンプル部の内側面に上記中空部と連通するように形成された波形状の溝と係合し、後部テンプル部が段階的にその突出長さを調整できるように構成されていることを特徴とする老眼鏡兼用拡大鏡。
【請求項２】
前記後部テンプル部の軸部のピンを、前部テンプル部の波形状の溝の後部位置に係合してテンプルの全長を長くした状態で装着することにより、拡大鏡として使用できる一方、
後部テンプル部の軸部のピンを、前部テンプル部の波形状の溝の前部位置に係合してテンプルの全長を短くした状態で装着することにより、老眼鏡として使用できるように構成してあることを特徴とする請求項１に記載の老眼鏡兼用拡大鏡。
【請求項３】
前記老眼鏡兼用拡大鏡は、普通の視力補正用眼鏡の上からも装着できるようにしてある請求項１又は２に記載の老眼鏡兼用拡大鏡。
【請求項４】
前記後部テンプル部の耳掛け部には、滑り止め部材が着脱自在に設けてある請求項１〜３のいずれかに記載の老眼鏡兼用拡大鏡。
【考案の詳細な説明】
【技術分野】
【０００１】
本考案は、普通の老眼鏡を拡大鏡としても使用できる老眼鏡兼用の拡大鏡に関する。
【背景技術】
【０００２】
従来、双眼式の拡大鏡として、実公平５−３１６１９号公報（特許文献１）に記載された双眼拡大鏡が知られている。
【０００３】
この特許文献１の双眼拡大鏡は、左右両眼の中間位置で一体的に接合した左右両眼用の凸レンズと、前記両凸レンズの外周端部にそれぞれ取り付けた折り畳み可能なつる（テンプル）と、前記両凸レンズの接合部に鼻当て支持杆を介して取り付けた鼻当てとによって、前記両凸レンズを保持するように構成してなるものである。
【０００４】
この特許文献１によれば、広い視野を確保することが可能となり、長時間にわたって使用しても疲労が増大せず、良好な両眼視を得ることができる。
【先行技術文献】
【特許文献】
【０００５】
【特許文献１】実公平５−３１６１９号公報
【考案の概要】
【考案が解決しようとする課題】
【０００６】
しかしながら、前記特許文献１の双眼拡大鏡は、（ａ）前記つる（テンプル）の長さが１７０ｍｍ（例えば１８０ｍｍ）以上であって、普通の眼鏡のつる（テンプル）の長さ１４０ｍｍ〜１４５ｍｍより、かなり長いので、双眼拡大鏡自体が大きくなるとともに、その双眼拡大鏡を収納する収納ケースも大形となり、携帯に不便であった。
【０００７】
（ｂ）また、特許文献１の双眼拡大鏡は、鼻当てを鼻梁に置いて見る対象物を拡大する拡大鏡の役割しか有しないものであって、これを老眼鏡として併用することはできなかった。
【０００８】
（ｃ）さらに、特許文献１の双眼拡大鏡では、両レンズの接合部に蝶番を介して鼻当て支持杆を固定し、該鼻当て支持杆の先端には蝶番を介して鼻当てを取り付けてあると共に、前記鼻当て支持杆の中間に湾曲部を形成し、この角度を調節することにより双眼拡大鏡の鼻への支持位置を容易に変更できるようにしてある。すなわち、この特許文献１のものは、鼻当て支持杆がレンズに固定してあり、前記鼻当ては屈曲自在としてあるものの、この鼻当て支持杆と鼻当てとを分離して前記レンズから着脱自在に取り外すものではないので、これを老眼鏡として使用できないものであった。
【０００９】
（ｄ）特許文献１の双眼拡大鏡では、一体成形した左右一対のレンズに、鼻当てを有する鼻当て支持杆をネジで後付けするもので、面倒な組付け作業が必要であった。
【００１０】
本考案は、上記従来の前記（ａ）、（ｂ）、（ｃ）、（ｄ）等の問題を解消するために日夜研究の結果、案出したものであって、左右一対のレンズとブリッジと鼻当てとを一体成形することで、上記特許文献１のものに比べて鼻当てをネジで後付けする組付け作業を不要とし、テンプルを伸縮自在にして、該テンプルの全長を伸ばした場合には拡大鏡として使用でき、テンプルの全長を短く縮めた場合には老眼鏡として使用できるようにし、さらに眼鏡不使用時にはテンプルを縮めて折り畳むことで、普通の眼鏡と同様に寸法が短くできて、その収納ケースも小形化となり、携帯に便利となり、さらにまた、前部テンプル部に対して後部テンプル部の突出長さを段階的に調整することにより、眼鏡装着者の顔の大きさに対応することができる、などの利点を有する老眼鏡兼用拡大鏡を提供することを目的とする。
【課題を解決するための手段】
【００１１】
上記目的を達成するため、本考案の請求項１の老眼鏡兼用拡大鏡は、左右一対のレンズと、該一対のレンズの外周縁部に回動かつ折り畳み自在に設けた左右一対のテンプルと、両レンズの内側同士間に設けた鼻当てとを備えた老眼鏡兼用拡大鏡であって、
前記左右一対のレンズはブリッジを介して離間位置に配置すると共に、前記ブリッジの後部側には鼻当てを設け、これらの一対のレンズとブリッジと鼻当てとは一体に成形してあり、
前記左右一対のテンプルは、前部テンプル部と後部テンプル部とからなり、後部テンプル部の前部に形成した軸部が、前部テンプル部の長手方向に形成した中空部内へ伸縮自在に嵌挿されるようにしてあると共に、前記後部テンプル部の軸部の内側面に突設したピンが、前記前部テンプル部の内側面に上記中空部と連通するように形成された波形状の溝
と係合し、後部テンプル部が段階的にその突出長さを調整できるように構成されていることを特徴とする。
【００１２】
請求項２の老眼鏡兼用拡大鏡は、前記後部テンプル部の軸部のピンを、前部テンプル部の波形状の溝の後部位置に係合してテンプルの全長を長くした状態で装着することにより、拡大鏡として使用できる一方、後部テンプル部の軸部のピンを、前部テンプル部の波形状の溝の前部位置に係合してテンプルの全長を短くした状態で装着することにより、老眼鏡として使用できるように構成してあることを特徴とする。
【００１３】
請求項３の老眼鏡兼用拡大鏡は、普通の視力補正用眼鏡の上からも装着できるように構成してあるを特徴とする。
【００１４】
請求項４の老眼鏡兼用拡大鏡は、前記後部テンプル部の耳掛け部には、滑り止め部材が着脱自在に設けてあることを特徴とする。
【考案の効果】
【００１５】
本考案の請求項１の老眼鏡兼用拡大鏡によれば、前記左右一対のテンプルは、前部テンプル部と後部テンプル部とからなり、後部テンプル部の前部に形成した軸部が、前部テンプル部の長手方向に形成した中空部内へ伸縮自在に嵌挿されるようにしてあると共に、前記後部テンプル部の軸部の内側面に突設したピンが、前記前部テンプル部の内側面に上記中空部と連通するように形成された波形状の溝と係合し、後部テンプル部が段階的にその突出長さを調整できるように構成されていることから、後部テンプル部を段階的にその突出長さを調整することにより、テンプルの全体長さが眼鏡装着者の顔の大きさや鼻の高さ等に対応して調整できて、拡大鏡としての機能が達成できる。しかも、テンプルの全長を短く縮めた場合には老眼鏡としても使用できる。また、眼鏡不使用時にはテンプルを縮めて折り畳むことで、普通の眼鏡と同様に寸法が短くできて、その収納ケースも小形化できて、携帯に便利である。
【００１６】
また、前記左右一対のレンズはブリッジを介して離間位置に配置すると共に、前記ブリッジの後部側には鼻当てを設け、これらの一対のレンズとブリッジと鼻当てとは一体に成形してあるから、特許文献１のものに比べて、鼻当てをネジで後付けする面倒な組付け作業が不要となる。
【００１７】
請求項２の老眼鏡兼用拡大鏡によれば、前記後部テンプル部の軸部のピンを、前部テンプル部の波形状の溝の後部位置に係合してテンプルの全長を長くした状態で装着することにより、拡大鏡として使用できる一方、後部テンプル部の軸部のピンを、前部テンプル部の波形状の溝の前部位置に係合してテンプルの全長を短くした状態で装着することにより、老眼鏡として使用できるように構成してあるから、眼鏡装着者の顔の大きさや鼻の高さ等に対応し、テンプルの全長を調節することにより、拡大鏡としてまたは老眼鏡として選択して使用できる利点がある。
【００１８】
請求項３の老眼鏡兼用拡大鏡によれば、前記老眼鏡兼用拡大鏡は、普通の視力補正用眼鏡の上からも装着できるようにしてあることから、普通の眼鏡装着者が当該眼鏡と共に本考案品を拡大鏡として二重に装着して使用できる。
【００１９】
請求項４の老眼鏡兼用拡大鏡によれば、前記後部テンプル部の耳掛け部には、滑り止め部材が着脱自在に設けてあるから、滑り止め部材が損傷した場合に簡単に取り替えできる利点がある。
【図面の簡単な説明】
【００２０】
【図１】本考案に係る老眼鏡兼用拡大鏡の実施例１の全体斜視図である。
【図２】図１の正面図である。
【図３】背面図である。
【図４】左側面図である。
【図５】右側面図である。
【図６】平面図である。
【図７】底面図である。
【図８】テンプルを縮めて折り畳んだ状態の斜視図である。この図ではレンズ相当部位は省略している。
【図９】後部テンプル部を前部テンプル部に当接した状態の斜視図である。
【図１０】後部テンプル部を最大限に引き伸ばした状態の斜視図である。
【図１１】後部テンプル部を前部テンプル部より取り外した状態の斜視図である。
【図１２】耳掛け部の滑り止め部分を分解した斜視図である。
【考案を実施するための形態】
【００２１】
本考案の好ましい実施形態を図１〜図１２に基づいて以下に説明する。
この老眼鏡兼用拡大鏡１は、ポリカーボネイト等の合成樹脂で作られた左右一対のレンズ１０、１１と、このレンズ１０、１１の外周縁部に回動かつ折り畳み自在に設けた左右一対のテンプル２０、２１と、両レンズ１０，１１の内側同士間に設けた鼻当て５０とを主要な構成要素としている。その実施の形態の詳細は、以下に詳しく説明する実施例１を参照するとよい。
【００２２】
（実施例１）
前記左右一対のレンズ１０，１１は、ブリッジ１２を介して離間した位置に配置すると共に、前記ブリッジ１２の後部側には鼻当て５０を設けている。そして、これらの一対のレンズ１０，１１とブリッジ１２と鼻当て５０とは合成樹脂で一体に成形してある。
また、前記左右一対のレンズ１０，１１の外周縁部には、後部（テンプル）側に延びる双股状の折曲部１０ａ，１１ａが形成されており、この折曲部１０ａ，１１ａの双股部で形成された空間１０ｂ，１１ｂに、後述する前部テンプル部２０ａ，２１ａの前部に突出した突部２２，２３を嵌入して、該突部２２，２３を折曲部（双股部）１０ａ，１１ａに底面側からネジ２４，２４で回動可能に枢着している。これにより、テンプル２０，２１は、前記ネジ２４を回動中心として、レンズ１０，１１に対し回動かつ折り畳み自在にしてある。
【００２３】
前記左右一対のテンプル２０，２１は、それぞれ前部テンプル部２０ａ，２１ａと後部テンプル部２０ｂ，２１ｂとからなっている。これにより、テンプル２０，２１は、前記ネジ２４を回動中心として、レンズ１０，１１に対し回動かつ折り畳み自在にしてある。後部テンプル部２０ｂ，２１ｂの前部に形成した軸部２５，２６（図１０、図１１参照）が、前部テンプル部２０ａ，２１ａの長手方向に形成した中空部２７，２８（図１０、図１１参照）内へ伸縮自在に嵌挿されるようにしてあると共に、前記後部テンプル部２０ｂ，２１ｂの軸部２５，２６の内側面に突設したピン２９，３０（図１１参照）が、前記前部テンプル部２０ａ，２１ａの内側面に上記中空部２７，２８と連通するように形成された波形状の溝３１，３２（図９〜図１１参照）と係合し、後部テンプル部２０ｂ，２１ｂが段階的にその突出長さを調整できるように構成されている。
【００２４】
すなわち、この実施例では、前部テンプル部２０ａ，２１ａに形成された波形状の溝３１，３２には、図９〜図１１に示すように、長手方向に６個の係合部３１ａ、３１ｂ、３１ｃ、３１ｄ、３１ｅ、３１ｆ（図示せず）、３２ａ、３２ｂ、３２ｃ、３２ｄ、３２ｅ、３２ｆ（図１０，図１１参照）が形成されており、これらの任意の係合部に前記ピン２９，３０を係合することにより、後部テンプル部２０ｂ，２１ｂの突出長さが６段階に調節できるようにしてある。例えば、図１〜図９では、前記ピン２９，３０は波形状の溝３１，３２の最前部の係合部３１ａ、３２ａ（図示せず）に係合されており、この場合のテンプル２０，２１の全長は最も短い。一方、図１０に示すように、前記ピン２９，３０が波形状の溝３１，３２の最後部の係合部３１ｆ、３２ｆに係合されている場合には、テンプル２０，２１の全長は最も長い。このようにして、テンプル２０，２１の全長を６段階に調節することができる。
なお、係合部３１ａ・・・３１ｆ、３２ａ・・・３２ｆは、本実施例では６個形成しているが、これに限らず、６個以下又は以上でもよい。
【００２５】
前記テンプル２０，２１の後部テンプル部２０ｂ，２１ｂの耳掛け部には、図３や図１２に示すように、貫通孔３５，３６を穿設してあり、この貫通孔３５，３６の内側から滑り止め部材３７，３８を圧入嵌合している。この滑り止め部材３７，３８は、図１、図９、図１０〜図１２に示されているように、合成樹脂やゴム製のものであって、その内側には波形状に形成してあるとともに、外側には前記貫通孔３５，３６に圧入嵌合するための脚部３７ａ、３８ａが形成されている。なお、滑り止め部材３７，３８は貫通孔３５，３６に対して着脱自在に取り付けられる方が好ましいが、固定方式でもよい。
【００２６】
本考案の老眼鏡兼用拡大鏡１の使用方法の一例を以下に説明する。
図１に示されているように、後部テンプル部２０ｂ，２１ｂの軸部２５，２６のピン２９，３０を、前部テンプル部２０ａ，２１ａの波形状の溝３１，３２の前部位置に係合してテンプル２０，２１の全長を短くした状態で装着することにより、老眼鏡として使用できる。
【００２７】
一方、図１０に示されているように、後部テンプル部２０ｂ，２１ｂの軸部２５，２６のピン２９，３０を、前部テンプル部２０ａ，２１ａの波形状の溝３１，３２の例えば最後部位置に係合してテンプル２０，２１の全長を長くした状態で装着することにより、拡大鏡として使用できる。
この場合、前部テンプル部２０ａ、２１ａと後部テンプル部２０ｂ、２１ｂとのテンプル２０，２１の長さは、前述したように、後部テンプル部２０ｂ、２１ｂのピン２９，３０を前部テンプル部２０ａ、２１ａの波形状の溝３１，３２への係合位置を適宜選定することにより、装着者の顔の大きさに対応して、テンプルの全長を調節し拡大鏡として使用できる。また、拡大鏡として使用する場合は、普通の眼鏡の上からも装着することができる。
【００２８】
レンズとしては、ガラス又は合成樹脂の材料からなる光学用を使用しているので、文字等のゆがみが少ない。合成樹脂の材料で製造する場合には、精度の高い射出成形法で製品化している。
【００２９】
この実施例では、レンズ１０，１１、テンプル２０，２１及び鼻当て５０の全部を合成樹脂で製作しているので、金属製のものに比べて、重さが軽く、人間の肌に接する部分が柔らかく掛け心地がよい。しかし、本考案では、上記部材の少なくとも１つ以上又は全部が金属製である場合を除外するものではない。
【符号の説明】
【００３０】
１    老眼鏡兼用拡大鏡
１０  レンズ
１１  レンズ
１２  ブリッジ
２０  テンプル
２０ａ  前部テンプル部
２０ｂ  後部テンプル部
２１    テンプル
２１ａ  前部テンプル部
２１ｂ  後部テンプル部
２２    突部
２３    突部
２５    軸部
２６    軸部
２７    中空部
２８    中空部
２９    ピン
３０    ピン
３１    波形状の溝
３２    波形状の溝
３５    貫通孔
３６    貫通孔
３７    滑り止め部材
３８    滑り止め部材
５０    鼻当て
【図１】
0003167304.tif 000003
【図２】
0003167304.tif 000004
【図３】
0003167304.tif 000005
【図４】
0003167304.tif 000006
【図５】
0003167304.tif 000007
【図６】
0003167304.tif 000008
【図７】
0003167304.tif 000009
【図８】
0003167304.tif 000010
【図９】
0003167304.tif 000011
【図１０】
0003167304.tif 000012
【図１１】
0003167304.tif 000013
【図１２】
0003167304.tif 000014